(57)【要約】【課題】画像形成装置に仕様の異なる過電流保護装置を装着するときに、仕様違いを防止することができる取り付け構造及び画像形成装置を提供する。【解決手段】複数種類のうちから選択されるひとつの過電流保護装置が取り付けられる共通の本体部材と、前記共通の本体部材に固定され、複数種類のうちから選択される前記ひとつの過電流保護装置を前記本体部材の内側から支持する支持部材と、前記支持部材に固定され、複数種類のうちから選択され商用電源に接続されるひとつの電源ケーブルを前記本体部材の外側から保持する保持部材と、からなる。【選択図】図６
2015034854.tif 000002
【特許請求の範囲】
【請求項１】
複数種類のうちから選択されるひとつの過電流保護装置が取り付けられる共通の本体部材と、
前記共通の本体部材に固定され、複数種類のうちから選択される前記ひとつの過電流保護装置を前記本体部材の内側から支持する支持部材と、
前記支持部材に固定され、複数種類のうちから選択され商用電源に接続されるひとつの電源ケーブルを前記本体部材の外側から保持する保持部材と、からなる、
ことを特徴とする過電流保護装置取り付け構造。
【請求項２】
前記支持部材が、前記過電流保護装置のひとつを支持する内面側に取り付け用突起を有し、前記取り付け用突起を受け入れる受け入れ凹部が設けられた複数種類のうちから選択される前記過電流保護装置のひとつを装着した場合に他の種類の前記過電流保護装置を装着不可として非互換状態となる、
ことを特徴とする請求項１に記載の過電流保護装置取り付け構造。
【請求項３】
前記保持部材が、ネジ止め用孔を有し、前記ネジ止め孔を介してネジ止めされるネジ孔が設けられ、複数種類のうちから選択される前記過電流保護装置のひとつを支持する前記支持部材に固定不可として非互換状態となる、
ことを特徴とする請求項１又は２に記載の過電流保護装置取り付け構造。
【請求項４】
複数種類のうちから選択される過電流保護装置と、
請求項１ないし３のいずれか１項に記載の過電流保護装置取り付け構造と、を備えた、
ことを特徴とする画像形成装置。
【発明の詳細な説明】
【技術分野】
【０００１】
本発明は、過電流保護装置取り付け構造及び画像形成装置に関する。
【背景技術】
【０００２】
像担持体と当該像担持体上に形成される潜像を現像する現像部とが一体的に保持されるとともに、画像形成装置本体に着脱自在に設置されるプロセスカートリッジであって、現像部に収納される現像剤の種類に係わらず共通化されたカートリッジ主部を備え、現像剤の種類ごとに異なる形状にて形成された識別部材をカートリッジ主部に取り付けた状態で画像形成装置本体に装着されるプロセスカートリッジが知られている（特許文献１）。
【先行技術文献】
【特許文献】
【０００３】
【特許文献１】特開２００５−１２８４１４号公報
【発明の概要】
【発明が解決しようとする課題】
【０００４】
本発明は、画像形成装置に仕様の異なる過電流保護装置と電源ケーブルを装着するときに、仕様違いを防止することができる取り付け構造及び画像形成装置を提供することを目的とする。
【課題を解決するための手段】
【０００５】
前記課題を解決するために、請求項１記載の過電流保護装置取り付け構造は、
複数種類のうちから選択されるひとつの過電流保護装置が取り付けられる共通の本体部材と、
前記共通の本体部材に固定され、複数種類のうちから選択される前記ひとつの過電流保護装置を前記本体部材の内側から支持する支持部材と、
前記支持部材に固定され、複数種類のうちから選択され商用電源に接続されるひとつの電源ケーブルを前記本体部材の外側から保持する保持部材と、からなる、
ことを特徴とする。
【０００６】
請求項２記載の発明は、請求項１記載の過電流保護装置取り付け構造において、
前記支持部材が、前記過電流保護装置のひとつを支持する内面側に取り付け用突起を有し、前記取り付け用突起を受け入れる受け入れ凹部が設けられた複数種類のうちから選択される前記過電流保護装置のひとつを装着した場合に他の種類の前記過電流保護装置を装着不可として非互換状態となる、
ことを特徴とする。
【０００７】
請求項３記載の発明は、請求項２に記載の過電流保護装置取り付け構造において、
前記保持部材が、ネジ止め用孔を有し、前記ネジ止め孔を介してネジ止めされるネジ孔が設けられ、複数種類のうちから選択される前記過電流保護装置のひとつを支持する前記支持部材に固定不可として非互換状態となる、
ことを特徴とする。
【０００８】
前記課題を解決するために、請求項４記載の画像形成装置は、
複数種類のうちから選択される過電流保護装置と、
請求項１ないし３のいずれか１項に記載の過電流保護装置取り付け構造と、を備えた、
ことを特徴とする。
【発明の効果】
【０００９】
本発明によれば、画像形成装置に仕様の異なる過電流保護装置を装着するときに、仕様違いを簡単な構成で防止することができる。
【図面の簡単な説明】
【００１０】
【図１】（ａ）は過電流保護装置ＧＡが装着された電源導入部１００の内面側に視点をおいた外観斜視図、（ｂ）は外面側に視点をおいた外観斜視図である。
【図２】（ａ）は複数種類のうちから選択されるひとつの過電流保護装置ＧＡの外部構成を示す表面外観図、（ｂ）は縦断面模式図、（ｃ）は裏面外観図である。
【図３】（ａ）は複数種類のうちから選択される他の過電流保護装置ＧＢの外部構成を示す表面外観図、（ｂ）は縦断面模式図、（ｃ）は裏面外観図である。
【図４】（ａ）、（ｂ）は複数種類のうちから選択されるひとつの過電流保護装置ＧＡを支持する電源導入部１００の内面側の構成を示す外観図、（ｃ）は外面側の構成を示す外観図である。
【図５】（ａ）、（ｂ）は複数種類のうちから選択される他の過電流保護装置ＧＢを支持する電源導入部１００Ａの内面側の構成を示す外観図、（ｃ）は、外面側の構成を示す外観図である。
【図６】（ａ）は複数種類のうちから選択されるひとつの過電流保護装置ＧＡを支持する電源導入部１００の取り付け構造を示す断面模式図、（ｂ）は複数種類のうちから選択される他の過電流保護装置ＧＢを支持する電源導入部１００Ａの取り付け構造を示す断面模式図である。
【図７】過電流保護装置取り付け構造が適用される画像形成装置１の概略構成の一例を示す断面模式図である。
【発明を実施するための形態】
【００１１】
次に図面を参照しながら、以下に実施形態及び実施例を挙げ、本発明を更に詳細に説明するが、本発明はこれらの実施形態及び実施例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１２】
（１）画像形成装置の全体構成及び動作
（１．１）画像形成装置の全体構成
図７は本実施形態に係る過電流保護装置取り付け構造が適用される画像形成装置１の概略構成の一例を示す断面模式図である。
画像形成装置１は、画像形成部１０と、画像形成部１０の一端に装着された用紙送り装置２０と、画像形成部１０の他の一端に設けられ、印刷された用紙が排紙される排紙部３０と、操作情報部４０と、上位機器から送信された印刷情報から画像イメージを生成する画像処理部５０と、を備えて構成されている。
【００１３】
画像形成部１０は、システム制御装置１１（図７において不図示）、露光装置１２、感光体ユニット１３、現像装置１４、転写装置１５、用紙搬送装置１６ａ、１６ｂ、１６ｃ、定着装置１７、電源装置１８を備えて構成され、画像処理部５０から受け取った画像情報を用紙送り装置２０から送り込まれた用紙上にトナー画像として形成する。
【００１４】
用紙送り装置２０は、画像形成部１０に対する用紙供給を行う。すなわち、種類（例えば、材質や厚さ、用紙サイズ、紙目）の異なる用紙を収容する複数のトレイを備えており、これら複数のトレイのいずれか一つから繰り出した用紙を画像形成部１０に対して供給するように構成されている。
【００１５】
排紙部３０は、画像形成部１０にて画像出力が行われた用紙の排出を行う。そのために、排紙部３０は、画像出力後の用紙が排出される排紙トレイを備えている。なお、排紙部３０は、画像形成部１０から出力される用紙束に対して、裁断やステープル（針綴じ）等の後処理を行う機能を有したものであってもよい。
【００１６】
画像形成部１０には、操作情報部４０が設けられている。操作情報部４０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００１７】
（１．２）画像形成部の構成及び動作
このような構成の画像形成装置１では、画像形成のタイミングに合わせて用紙送り装置２０のうち、印刷ジョブで印刷の１枚毎に指定されたトレイから繰り出された用紙が画像形成部１０へ送り込まれる。
【００１８】
感光体ユニット１３は、露光装置１２の下方（Ｚ方向）に、それぞれが並列して設けられ、回転駆動する像保持体としての感光体ドラム１３１を備えている。感光体ドラム１３１の回転方向にそって、帯電器１３２、露光装置１２、現像装置１４、一次転写ローラ１５２、クリーニングブレード１３４が配置されている。
【００１９】
現像装置１４は、内部に現像剤が収容される現像ハウジング１４１を有する。現像ハウジング１４１内には、感光体ドラム１３１に対向して配置された現像ローラ１４２が配設され、現像ローラ１４２には、現像剤の層厚を規制する層規制部材（不図示）が近接配置されている。
現像装置１４各々は、現像ハウジング１４１に収容される現像剤を除いて同様に構成され、それぞれがイエロー（Ｙ）、マゼンタ（Ｍ）、シアン（Ｃ）、黒（Ｋ）のトナー像を形成する。
【００２０】
回転する感光体ドラム１３１の表面は、帯電器１３２により帯電され、露光装置１２から出射する潜像形成光により静電潜像が形成される。感光体ドラム１３１上に形成された静電潜像は現像ローラ１４２によりトナー像として現像される。
【００２１】
転写装置１５は、各感光体ユニット１３の感光体ドラム１３１にて形成された各色トナー像が多重転写される中間転写ベルト１５１、各感光体ユニット１３にて形成された各色トナー像を中間転写ベルト１５１に順次転写（一次転写）する一次転写ローラ１５２、中間転写ベルト１５１上に重畳して転写された各色トナー像を記録媒体である用紙に一括転写（二次転写）する二次転写ベルト１５３とから構成されている。
二次転写ベルト１５３は、二次転写ローラ１５４と剥離ローラ１５５とによって張架され、中間転写ベルト１５１の背面側に配置されたバックアップローラ１６５と二次転写ローラ１５４とに挟持されて二次転写部（ＴＲ）を形成する。
【００２２】
各感光体ユニット１３の感光体ドラム１３１に形成された各色トナー像は、システム制御装置１１により制御される電源装置等（不図示）から所定の転写電圧が印加された一次転写ローラ１５２により中間転写ベルト１５１上に順次静電転写（一次転写）され、各色トナーが重畳された重畳トナー像が形成される。
【００２３】
中間転写ベルト１５１上の重畳トナー像は、中間転写ベルト１５１の移動に伴って二次転写ベルト１５３が配置された領域（二次転写部ＴＲ）に搬送される。重畳トナー像が二次転写部ＴＲに搬送されると、そのタイミングに合わせて用紙送り装置２０から用紙Ｐが二次転写部ＴＲに供給される。そして、バックアップローラ１６５には、システム制御装置１１により制御される電源装置等から所定の転写電圧が印加され、用紙Ｐに中間転写ベルト１５１上の多重トナー像が一括転写される。
【００２４】
感光体ドラム１３１表面の残留トナーは、クリーニングブレード１３４により除去され、廃トナー収容部（不図示）に回収される。感光体ドラム１３１の表面は、帯電器１３２により再帯電される。
【００２５】
定着装置１７は一方向へ回転する無端状の定着ベルト１７ａと、定着ベルト１７ａの周面に接し、一方向へ回転する加圧ローラ１７ｂと、を有し、定着ベルト１７ａと加圧ローラ１７ｂの圧接領域によってニップ部（定着領域）が形成される。
転写装置１５においてトナー像が転写された用紙Ｐは、トナー像が未定着の状態で用紙搬送装置１６ａを経由して定着装置１７に搬送される。定着装置１７に搬送された用紙Ｐは、一対の定着ベルト１７ａと加圧ローラ１７ｂにより、圧着と加熱の作用でトナー像が定着される。
【００２６】
定着の終了した用紙Ｐは、用紙搬送装置１６ｂを通過し、排紙部３０に送り込まれる。
用紙Ｐの両面に画像出力を行う場合には、用紙搬送装置１６ｃにより当該用紙Ｐの表裏が反転され、再び画像形成部１０における二次転写部ＴＲへ送り込まれる。そして、トナー像の転写および転写像の定着が行われた後に、排紙部３０に送り込まれることになる。排紙部３０へ送り込まれた用紙Ｐは、必要に応じて裁断やステープル（針綴じ）等の後処理を経た後に、排紙トレイ上へ排出される。
【００２７】
このように構成されて画像形成動作する画像形成装置１は、商用電源から電力供給を受けた電源装置１８を介して、駆動装置（不図示）へ回転駆動のための電力が供給される。また、感光体ユニット１３、現像装置１４、転写装置１５には高圧のバイアス電圧が印加され、定着装置１７には加熱のための電力が供給される。
【００２８】
（２）過電流保護装置の取り付け構造
図１（ａ）は過電流保護装置ＧＡが装着された過電流保護装置の取り付け構造の一例としての電源導入部１００の内面側に視点をおいた外観斜視図、（ｂ）は外面側に視点をおいた外観斜視図である。
【００２９】
過電流保護装置ＧＡは、商用電源と画像形成装置１の電源装置１８（図７において不図示）間に組み込まれ、電源装置に組み込まれた商用電源の供給を開閉する開閉器（不図示）の異常があった場合に、電源供給動作を停止させる。
そのために、画像形成装置１が必要とする電力に応じて、定められた複数種類の定格電流値の仕様からひとつの過電流保護装置が選択されて装着される。
【００３０】
（２．１）電源導入部の全体構成
以下、図１を参照しながら過電流保護装置ＧＡが装着された画像形成装置１の電源導入部１００の全体構成について説明する。
【００３１】
電源導入部１００は、複数種類のうちから選択されるひとつの過電流保護装置ＧＡと、過電流保護装置ＧＡが取り付けられる共通の本体部材１０１と、過電流保護装置ＧＡを本体部材１０１の内側から支持する支持部材１０２と、複数種類のうちから選択され商用電源に接続されるひとつの電源ケーブルＰＡを本体部材１０１の外側から保持する保持部材１０３と、からなる。
【００３２】
電源ケーブルＰＡの一端側は、本体部材１０１の内側に配置された中継部１０４へ接続され、中継部１０４から中継コード１０５を介して、過電流保護装置ＧＡの入力端子ＧＡａに接続される。
そして、過電流保護装置ＧＡの出力端子ＧＡｂは、中継コード１０６を介して、電源装置１８の基板１１０に接続され、商用電源と画像形成装置１の電源装置１８（不図示）間に過電流保護装置ＧＡが組み込まれている。
【００３３】
（２．２）過電流保護装置の外部構成
図２（ａ）は複数種類のうちから選択されるひとつの過電流保護装置ＧＡの外部構成を示す表面外観図、（ｂ）は縦断面模式図、（ｃ）は裏面外観図、図３（ａ）は複数種類のうちから選択される他の過電流保護装置ＧＢの外部構成を示す表面外観図、（ｂ）は縦断面模式図、（ｃ）は裏面外観図である。
【００３４】
図２に示すように、過電流保護装置ＧＡは、上面側に商用電源に接続される入力端子ＧＡａと、下面側に負荷としての画像形成装置１の電源装置１８の基板１１０に接続される出力端子ＧＡｂとを有している。
また、表面から裏面へ貫通する取り付け孔ＧＡｃが形成され、例えば取り付けネジを用いて支持部材１０２にネジ止めされる。
【００３５】
過電流保護装置ＧＡの裏面側には、受け入れ凹部ＧＡｄが設けられ、過電流保護装置ＧＡを本体部材１０１の内側から支持する支持部材１０２の一面側に突出して設けられた取り付け用突起１０２ａを受け入れる。
【００３６】
同様に、図３に示すように、過電流保護装置ＧＢは、上面側に商用電源に接続される入力端子ＧＢａと、下面側に負荷としての画像形成装置１の電源装置１８の基板１１０に接続される出力端子ＧＢｂとを有している。
また、表面から裏面へ貫通する取り付け孔ＧＢｃが形成され、取り付けネジを用いて支持部材１０２Ａにネジ止めされる。
【００３７】
過電流保護装置ＧＢの裏面側には、過電流保護装置ＧＡとは異なる位置に、受け入れ凹部ＧＢｄが設けられ、過電流保護装置ＧＢを本体部材１０１の内側から支持する支持部材１０２Ａの一面側の支持部材１０２とは異なる位置に突出して設けられた取り付け用突起１０２Ａａを受け入れる。
【００３８】
（２．３）支持部材
図４（ａ）、（ｂ）は複数種類のうちから選択されるひとつの過電流保護装置ＧＡを支持する電源導入部１００の内面側の構成を示す外観図、（ｃ）は外面側の構成を示す外観図、図５（ａ）、（ｂ）は複数種類のうちから選択される他の過電流保護装置ＧＢを支持する電源導入部１００Ａの内面側の構成を示す外観図、（ｃ）は外面側の構成を示す外観図である。
【００３９】
図４、図５に示すように、支持部材１０２、１０２Ａは、全体がコの字形状をなし、コの字凹部に過電流保護装置ＧＡ、ＧＢを支持する。コの字凹部の底面１０２ｂ、１０２Ａｂには、取り付け用突起１０２ａ、１０２Ａａ（図６に図示）が突出して設けられている。
取り付け用突起１０２ａ、１０２Ａａは、それぞれの過電流保護装置ＧＡ、ＧＢに形成された受け入れ凹部ＧＡｄ、ＧＢｄ（図２、図３に図示）の位置に対応して設けられている。
【００４０】
その結果、それぞれの支持部材１０２、１０２Ａは、複数種類のうちから選択されるひとつの過電流保護装置ＧＡと、複数種類のうちから選択される他の過電流保護装置ＧＢとが装着時に非互換状態となる。
すなわち、支持部材１０２に設けられた取り付け用突起１０２ａは、過電流保護装置ＧＡに形成された受け入れ凹部ＧＡｄには受け入れられるが、過電流保護装置ＧＡと異なる位置に形成された受け入れ凹部ＧＢｄには受け入れられない。
同様に、支持部材１０２Ａに設けられた取り付け用突起１０２Ａａは、過電流保護装置ＧＢに形成された受け入れ凹部ＧＢｄには受け入れられるが、過電流保護装置ＧＢと異なる位置に形成された受け入れ凹部ＧＡｄには受け入れられない。
【００４１】
コの字凹部の一端側には両外側へ折り曲げられた取り付け平面部１０２ｃ、１０２Ａｃが形成され、それぞれの支持部材１０２、１０２Ａに共通した位置に、本体部材１０１の同一位置に固定されるネジ孔１０２ｄが形成されている。
そして、一方の平面部１０２ｃ、１０２Ａｃには、後述する保持部材１０３、１０３Ａに設けられたネジ止め用孔１０３ｂ、１０３Ａｂに対応した位置にネジ孔１０２ｅ、１０２Ａｅが形成されている。
【００４２】
（２．４）保持部材
【００４３】
図４（ｃ）、図５（ｃ）に示すように、保持部材１０３、１０３Ａは、全体が平板形状をなし、一面には電源ケーブルＰＡ、ＰＢを保持する保持具１０３ａ、１０３Ａａを有し、電源ケーブルＰＡ、ＰＢは、保持具１０３ａ、１０３Ａａに挿通されて固定される。
保持部材１０３、１０３Ａの周縁部の一端側には、支持部材１０２、１０２Ａにネジを介して固定されるネジ止め用孔１０３ｂ、１０３Ａｂが形成されている。
ネジ止め用孔１０３ｂ、１０３Ａｂは、それぞれの支持部材１０２、１０２Ａの平面部１０２ｃ、１０２Ａｃに形成されたネジ孔１０２ｅ、１０２Ａｅの位置に対応して設けられている。
【００４４】
その結果、それぞれの保持部材１０３、１０３Ａは、複数種類のうちから選択されるひとつの過電流保護装置ＧＡと、複数種類のうちから選択される他の過電流保護装置ＧＢとを非互換状態として支持する支持部材１０２、１０２Ａと非互換状態で固定される。
すなわち、複数種類のうちから選択され商用電源に接続されるひとつの電源ケーブルＰＡを保持する保持部材１０３は、過電流保護装置ＧＡを非互換状態で支持する支持部材１０２には固定可能で、他の過電流保護装置ＧＢを支持する支持部材１０２Ａには固定不能とされる。
同様に、複数種類のうちから選択され商用電源に接続される他の電源ケーブルＰＢを保持する保持部材１０３Ａは、過電流保護装置ＧＢを非互換状態で支持する支持部材１０２Ａには固定可能で、他の過電流保護装置ＧＡを支持する支持部材１０２には固定不能とされる。
【００４５】
（３）過電流保護装置の取り付け構造の作用
図６（ａ）は複数種類のうちから選択されるひとつの過電流保護装置ＧＡを支持する電源導入部１００の取り付け構造を示す断面模式図、（ｂ）は複数種類のうちから選択される他の過電流保護装置ＧＢを支持する電源導入部１００Ａの取り付け構造を示す断面模式図である。
【００４６】
図６（ａ）、（ｂ）に示すように、本実施形態に係る過電流保護装置の取り付け構造においては、支持部材１０２、１０２Ａは、取り付け用突起１０２ａ、１０２Ａａが突出して設けられている。
そして、取り付け用突起１０２ａ、１０２Ａａは、それぞれの過電流保護装置ＧＡ、ＧＢに形成された受け入れ凹部ＧＡｄ、ＧＢｄの位置に対応して設けられている。
【００４７】
その結果、それぞれの支持部材１０２、１０２Ａは、複数種類のうちから選択されるひとつの過電流保護装置ＧＡと、複数種類のうちから選択される他の過電流保護装置ＧＢとが装着時に非互換状態となる。
【００４８】
電源ケーブルＰＡ、ＰＢを保持する保持部材１０３、１０３Ａの周縁部の一端側には、それぞれの支持部材１０２、１０２Ａの平面部１０２ｃ、１０２Ａｃに形成されたネジ孔１０２ｅ、１０２Ａｅのそれぞれの位置に対応して、ネジ止め用孔１０３ｂ、１０３Ａｂが形成されている。
【００４９】
その結果、それぞれの保持部材１０３、１０３Ａは、複数種類のうちから選択されるひとつの過電流保護装置ＧＡと、複数種類のうちから選択される他の過電流保護装置ＧＢとを非互換状態として支持する支持部材１０２、１０２Ａと非互換状態で固定される。
【００５０】
係る過電流保護装置の取り付け構造によれば、装着される過電流保護装置の仕様が異なる画像形成装置間において、共通の本体部材１０１に対して、限られた支持部材１０２、１０２Ａ及び保持部材１０３、１０３Ａを非互換状態として共通化が図られるために、製造コストの上昇を抑制しつつ、製造時及び市場での保全時における仕様違いを防止することができる。
【００５１】
以上、本発明に係る実施形態を詳述したが、本発明は上記実施形態に限定されるものではなく、特許請求の範囲に記載された本発明の要旨の範囲内で種々の変更を行うことが可能である。
【符号の説明】
【００５２】
１・・・画像形成装置
１０・・・画像形成部
２０・・・用紙送り装置
３０・・・排紙部
４０・・・操作情報部
５０・・・画像処理部
１００、１００Ａ・・・電源導入部
１０１・・・本体部材
１０２、１０２Ａ・・・支持部材
１０２ａ、１０２Ａａ・・・取り付け用突起
１０２ｂ、１０２Ａｂ・・・底面（支持部材）
１０２ｃ、１０２Ａｃ・・・平面部（支持部材）
１０２ｄ、１０２Ａｄ・・・ネジ孔（共通）
１０３、１０３Ａ・・・保持部材
１０２ａ、１０２Ａａ・・・保持具
１０２ｂ、１０２Ａｂ・・・ネジ止め用孔
ＧＡ、ＧＢ・・・過電流保護装置
ＧＡａ、ＧＢａ・・・入力端子
ＧＡｂ、ＧＢｂ・・・出力端子
ＧＡｃ、ＧＢｃ・・・取り付け孔
ＧＡｄ、ＧＢｄ・・・受け入れ凹部
【図１】
2015034854.tif 000003
【図２】
2015034854.tif 000004
【図３】
2015034854.tif 000005
【図４】
2015034854.tif 000006
【図５】
2015034854.tif 000007
【図６】
2015034854.tif 000008
【図７】
2015034854.tif 000009